(57)【要約】【課題】  磁石を備えた挟持部で袋の折返し部を挟持することにより、該折返し部を容器の外面に露出することなく簡単に見映え良く内蔵装着する。また、挟持部を容器の内面でスライド移動することにより、従来の袋押さえ材や仕切板や中容器を用いることなく、大小さまざまの開口寸法と収納容量をもつ複数の収納袋を最大の開口寸法に開いた状態で着脱容易に装着し、一つの容器で分別収納が簡単にできる袋内蔵型容器を提供する。【解決手段】  容器１の内壁１ａの上部全周に磁性体帯２ａを配設し、その下方に帯状のガイドレール８を配設する。また、上部に永久磁石３を備え、中間部にガイドレール８を介して内壁１ａと連結する枢支部５を備え、その下部または側部に２〜３ｃｍ開くと停止するストッパー６０を備えた袋掛止板６を設ける。そして、袋掛止板６を袋７の開口寸法に合わせてスライドし、袋７の上部折り返し部７ａを永久磁石３で吸着挟持する。【選択図】  図１
2007314340.tif 000002
【特許請求の範囲】
【請求項１】
容器（１）の内壁（１ａ）の上部四方少なくとも３箇所に磁性体片（２）を固着し、
前記内壁（１ａ）の前記各磁性体片（２）の固定位置下方の略同高位置に枢支部（５）を設け、
該各枢支部（５）に、上部に前記磁性体片（２）に対向するように永久磁石（３）を固定した縦長の袋掛止板（６）を前記永久磁石（３）が前記磁性体片（２）に対して離着可能となるように枢着し、
前記各袋掛止板（６）に設けた前記永久磁石（３）と前記内壁（１ａ）に設けた磁性体片（２）との間が２ｃｍ〜３ｃｍ開くと停止するストッパー（６０）を前記各袋掛止板（６）の中間高より下方部位に設けて成り、
前記各永久磁石（３）と対向する前記磁性体片（２）との間に、袋（７）が開いた状態で袋口を磁力で挟着し、該袋（７）を容器（１）内に保持できるようにしたことを特徴とする袋内蔵型容器。
【請求項２】
容器（１）の内壁（１ａ）の上部に磁性体帯（２ａ）を横向きに固着し、
前記内壁（１ａ）の中間の同高位置に周方向に一定の長さで断続するか又は全周を巡るガイドレール（８）を設け、
該ガイドレール（８）上をスライド可能とするように該ガイドレール（８）に対応した嵌合部（５ａ）を備えた枢支部（５）を少なくとも３箇所に装着し、
該各枢支部（５）に、上部に前記磁性体帯（２ａ）の一部に直立して対向するように前記永久磁石（３）を固定した縦長の袋掛止板（６）を、前記永久磁石（３）が磁性体帯（２ａ）に対して離着可能となるように枢着し、
前記各袋掛止板（６）に設けた前記永久磁石（３）と前記内壁（１ａ）に設けた磁性体帯（２ａ）との間が２ｃｍ〜３ｃｍ開くと停止するストッパー（６０）を前記各袋掛止板（６）の中間高より下方部位に設けて成り、
前記永久磁石（３）と対向する前記磁性体帯（２ａ）との間に、袋（７）が開いた状態で袋口を磁力で挟着し、該袋（７）を容器（１）内に保持できるようにしたことを特徴とする袋内蔵型容器。
【請求項３】
袋掛止板（６）の上端に袋（７）を破らない程度に尖った袋掛止部（４）を突設したことを特徴とする請求項１又は請求項２に記載の袋内蔵型容器。
【請求項４】
ストッパー（６０）が、袋掛止板（６）の枢支部（５）に突出した突起（６０ａ）と袋掛止板（６）が磁性体片（２）または磁性体帯（２ａ）から２ｃｍ〜３ｃｍ開くと停止する位置に突起受止面（６０ｂ）を備えて成る請求項１乃至３の何れかに記載の袋内蔵型容器。
【請求項５】
ストッパー（６０）が、袋掛止板（６）と内壁（１ａ）とを結ぶ紐（６１ａ）、鎖（６１ｂ）又は屈曲フリーに繋がった棒状体（６１ｃ）であり、その全体の長さを袋掛止板（６）が磁性体片（２）または磁性体帯（２ａ）から２ｃｍ〜３ｃｍ開くと停止する長さに形成して成ることを特徴とする請求項１乃至３の何れかに記載の袋内蔵型容器。
【発明の詳細な説明】
【技術分野】
【０００１】
本発明は、ゴミやその他の廃棄物または物品等を収納する袋を内蔵できるようにした容器に関する。
【背景技術】
【０００２】
従来、家庭や事業所などで一般的に用いられているゴミ収納容器においては、容器内に溜まったゴミをゴミ袋ごと簡単に取り出して排出できるようにするために、ゴミ袋の上部折り返し部を容器の口から外部に露出したままの状態で装着することが成されている。
また、自動販売機のそばに設置されている空容器収納箱などの収納容器においても、容器の上部から食み出したゴミ袋の折返し部を外部に露出し、その折り返し部を蓋で押さえて装着する方法が一般的に行われている。
また、美観を必要とする場所などで用いている高価できれいなデザインの容器などにおいては、容器内に袋を装着せずに容器内に収納物を直接収納するか、または容器内の中容器に収納物を収納する方法が一般的に行われている。
【０００３】
また、このほかの方法として、容器の上部から食み出した袋の折返し部を外部に露出せずに装着することや、一つの容器で分別収納ができるようにするために、容器の上縁部に備えた複数個の袋押さえ材で袋の折り返し部を押さえて装着し、ゴミを分別収納する方法として、特許文献１の「分別投入型のごみ箱」に記載の容器が提案されている。
また、容器内に複数個の仕切板を備えてゴミを分別収納する方法として、特許文献２「分別収集用ゴミ容器」に記載の容器が提案されている。
また、コンビニの店頭などで使われている大型のゴミ容器収納などにおいては、そのゴミ収納容器本体の中にさらに中容器を備え、その中容器内にゴミ袋を装着して、ゴミを収納する方法として、特許文献３の「分別用ゴミ箱」に記載の容器が提案されている。
【特許文献１】特開２００４−０９９２０１号公報
【特許文献２】特開２００１−１１４４０１号公報
【特許文献３】特開平１０−０８１４０１号公報
【発明の開示】
【発明が解決しようとする課題】
【０００４】
袋の上部折り返し部を図１５の（イ）に示すように容器の外面に露出したままの状態で装着する従来の一般的な袋装着においては、容器の外面に露出した折り返し部が見映えの悪いものとなっている欠点があった。また、このため、美観を必要とする場所などで用いている高価できれいなデザインの容器などにおいては、見映え上の面から容器内に袋を装着せずに容器内に収納物を直接収納するか、または容器内の中容器に収納物を収納しているので、これらの容器内に収納されたゴミなどの排出処理が簡単にできない欠点があった。
【０００５】
また、袋の折返し部を外部に露出せずに装着することや、一つの容器で分別収納ができるようにするために、図１６の（イ）（ロ）に示すように複数個の袋押さえ材の枠の中に袋の上部折り返し部を潜らせて均等に折り返し、その袋押さえ材を容器の上部にセットしてゴミを分別収納する引用文献１の分別投入型のごみ箱においては、各袋押さえ材に対する袋の装着が面倒であることや、装着する袋のサイズも袋押さえ材のサイズに見合ったものに限定されることなど、使い勝手が悪い欠点があった。
【０００６】
また、容器内に複数個の仕切板を備えてゴミを分別収納する引用文献２の分別収集用ゴミ容器においても、各仕切板に対する袋の装着が面倒であることや、装着する袋のサイズも限定されることなど、使い勝手が悪い欠点があった。
【０００７】
また、コンビニの店頭などで使われている引用文献３の分別用ゴミ箱においては、ゴミ収納容器本体のほかに中容器を用意しなければならず、その分ゴミ収納容器本体の大きさに対して実収納量は小さくなる欠点があった。
【０００８】
そこで、本発明は、上述したような従来のゴミ収納容器の種々の欠点を解消するために、容器の外面に上部折り返し部を露出することなく、また、袋押さえ材や仕切板による面倒な袋装着や袋サイズの限定などがなく、また、中容器を用いることなく且つゴミ収納容器本体の実収納量を減らすことなく、容器内に収納袋を簡単に装着することができる袋内蔵型容器を提案する。
【課題を解決するための手段】
【０００９】
上記の課題を解決するために、本発明は、容器１の内壁１ａの上部四方少なくとも３箇所に磁性体片２を固着し、前記内壁１ａの前記各磁性体片２の固定位置下方の略同高位置に枢支部５を設け、該各枢支部５に、上部に前記磁性体片２に対向するように永久磁石３を固定した縦長の袋掛止板６を前記永久磁石３が前記磁性体片２に対して離着可能となるように枢着し、前記各袋掛止板６に設けた前記永久磁石３と前記内壁１ａに設けた磁性体片２との間が２ｃｍ〜３ｃｍ開くと停止するストッパー６０を前記各袋掛止板６の中間高より下方部位に設けて成り、前記各永久磁石３と対向する前記磁性体片２との間に、袋７が開いた状態で袋口を磁力で挟着し、該袋７を容器１内に保持できるようにしたことを特徴とする。
【００１０】
また、容器１の内壁１ａの上部に磁性体帯２ａを横向きに固着し、前記内壁１ａの中間の同高位置に周方向に一定の長さで断続するか又は全周を巡るガイドレール８を設け、該ガイドレール８上をスライド可能とするように該ガイドレール８に対応した嵌合部５ａを備えた枢支部５を少なくとも３箇所に装着し、該各枢支部５に、上部に前記磁性体帯２ａの一部に直立して対向するように前記永久磁石３を固定した縦長の袋掛止板６を、前記永久磁石３が磁性体帯２ａに対して離着可能となるように枢着し、前記各袋掛止板６に設けた前記永久磁石３と前記内壁１ａに設けた磁性体帯２ａとの間が２ｃｍ〜３ｃｍ開くと停止するストッパー６０を前記各袋掛止板６の中間高より下方部位に設けて成り、前記永久磁石３と対向する前記磁性体帯２ａとの間に、袋７が開いた状態で袋口を磁力で挟着し、該袋７を容器１内に保持できるようにしたことを特徴とする。
【００１１】
ここで、袋掛止板６の上端に袋７を破らない程度に尖った袋掛止部４を突設したことを特徴とする。
また、ストッパー６０が、袋掛止板６の枢支部５に突出した突起６０ａと袋掛止板６が磁性体片２または磁性体帯２ａから２ｃｍ〜３ｃｍ開くと停止する位置に突起受止面６０ｂを備えたことを特徴とする。
また、ストッパー６０が、袋掛止板６と内壁１ａとを結ぶ紐６１ａ、鎖６１ｂ又は屈曲フリーに繋がった棒状体６１ｃであり、その全体の長さを袋掛止板６が磁性体片２または磁性体帯２ａから２ｃｍ〜３ｃｍ開くと停止する長さに形成したことを特徴とする。
【発明の効果】
【００１２】
本発明の袋内蔵型容器は、図１４に示すように、磁力で簡単に吸着挟持できる永久磁石を袋掛止板の上部に備え、下部には袋が掛け易いように２ｃｍ〜３ｃｍ開くと停止するストッパーを備えているので、袋掛止板に被せ掛けた袋の折り返し部を挟着部に指先で軽く押込み、そして、袋掛止板を磁性体側に指先で軽く押付けるだけで、袋折り返し部を永久磁石の磁力で自働的に簡単に吸着挟持できる。
これにより、図１に示すように、従来のような袋押さえ材や仕切板や中容器などを用いることなく、また、袋の上部折返し部を容器の上部外面に露出することなく、収納袋を容器内に簡単に内蔵装着することができる。
【００１３】
また、本発明の袋内蔵型容器は、美観を必要とする場所などでせっかく高価できれいなデザインの容器を配置しても、図１５（イ）のように、容器に装着した袋の折り返し部分が不細工に食み出してそれらのきれいなデザインなどが覆われてしまう従来の袋装着に対して、本発明の袋内蔵型容器においては、図１５（ロ）のように袋の折り返し部を容器内に内蔵装着することにより、容器のデザインを生かした見映えの良い袋内蔵装着ができる。
【００１４】
また、美観を必要とする場所に用いる容器においては、見映えの悪い袋装着はできないことから、ゴミ類を容器内に直接収納したり、または、中容器に収納したりしているので、容器内に溜まったゴミの排出処理が面倒なものになっているが、図１５（ロ）のように容器内に袋を内蔵装着することにより、容器のデザインを生かした見映えの良い状態でゴミ類を容器内に収納し、且つ、容器内に収納したゴミ類を袋ごと取り出して簡単に排出することができる。
【００１５】
また、本発明の袋内蔵型容器は、図１および図４や図７に示すように、袋掛止板をガイドレールに沿って袋の開口寸法に見合った位置に指で自在にスライド移動し、その位置で袋掛止板を磁性体側に指先で軽く押付けるだけで、袋折り返し部を永久磁石の磁力で自働的に簡単に吸着挟持できるので、大小さまざまの開口寸法をもつ複数の収納袋を袋押さえ材や仕切板を用いることなく簡単に装着して分別収納ができる。
これにより、図１６に示すような従来の分別収納容器のように袋押さえ材による面倒な袋装着や、装着する袋のサイズが袋押さえ材のサイズによって限定されることなどがなく、図１に示すように複数の袋を簡単に装着して分別収納を簡単に行うことができる。
【００１６】
また、本発明の袋内蔵型容器は、図１および図２に示すように、永久磁石を備えた袋掛止板を、どのような形状寸法の容器においても容器内面に沿って直に取り付けることにより、袋を容器内面に沿って目一杯拡張開口した状態で装着できるので、その袋の収納容量を容器の収納容量と同程度に大きく確保できる。これにより、従来コンビニの店頭などで使われている中容器型のゴミ収納容器に比べると、空間のロス分が無くなり、大収納容量を得ることができる。
【発明を実施するための最良の形態】
【００１７】
以下、図に基づいて本発明の実施形態を説明する。
本発明に係る第一の実施形態の袋内蔵型容器は、図１および図２に示されるように、容器１の内壁１ａの上部四方少なくとも３箇所に磁性体片２を固着する。
そして、内壁１ａの各磁性体片２の固定位置下方の略同高位置に枢支部５を設ける。
そして、該各枢支部５に、上部に磁性体片２に対向するように永久磁石３を固定した縦長の袋掛止板６を永久磁石３が磁性体片２に対して離着可能となるように枢着する。
そして、各袋掛止板６の下方の枢支部５に該袋掛止板６が磁性体片２から２ｃｍ〜３ｃｍ開くと停止するストッパー６０を設ける。
そして、袋口が開いた状態の袋７の上部四方少なくとも３箇所を、各袋掛止板６の上端に当てて内壁面側に折り返し、永久磁石３と磁性体片２との間で永久磁石３の磁力で挟着することにより、袋７を容器１内に装着する。
【００１８】
また、本発明に係る第二の実施形態の袋内蔵型容器は、図３および図８に示されるように、前述の第一の実施形態の図２における枢軸と軸受の枢支部５に対して、枢支部５を蝶番型のものとしている。
そして、その蝶番型の枢支部５の側面に袋掛止板６に対して直角方向にストッパー６０を設け、袋掛止板６が磁性体片２から２ｃｍ〜３ｃｍ開くと停止する位置にストッパー６０の突起６０ａと突起受止面６０ｂを備えたものとしている。
そして、この蝶番型の枢支部５および直角方向に備えたストッパー６０以外のものについては、前述の図２に示される第一の実施形態の袋内蔵型容器に準じたものとしている。
【００１９】
また、本発明に係る第三の実施形態の袋内蔵型容器は、図４および図７に示されるように、容器１の内壁１ａの上部に磁性体帯２ａを横向きに固着する。
そして、内壁１ａの中間の同高位置に周方向に一定の長さで断続するか又は全周を巡るガイドレール８を設ける。
そして、該ガイドレール８上をスライド可能とするように該ガイドレール８に対応した嵌合部５ａを備えた枢支部５を少なくとも３箇所に装着する．
そして、該各枢支部５に、上部に磁性体帯２ａの一部に直立して対向するように永久磁石３を固定した縦長の袋掛止板６を、永久磁石３が磁性体帯２ａに対して離着可能となるように枢着する。
そして、該各枢支部５に、該袋掛止板６が磁性体帯２ａから２ｃｍ〜３ｃｍ開くと停止するストッパー６０を設ける。
そして、永久磁石３と対向する磁性体帯２ａとの間に、袋口が開いた状態の袋７の上部四方少なくとも３箇所を、各袋掛止板６の上端に当てて内壁側に折り返して各永久磁石３の磁力で挟着し、袋を容器１内に装着する。
【００２０】
また、本発明に係る第四の実施形態の袋内蔵型容器は、図５および図９に示されるように、前述の第三の実施形態の図４における枢支部５に対して、枢支部５を蝶番型のものとし、その蝶番型の枢支部５の側面に、袋掛止板６に対して直角方向にストッパー６０の突起６０ａと袋掛止板６が磁性体帯２ａから２ｃｍ〜３ｃｍ開くと停止する位置に突起受止面６０ｂを設ける。
そして、この蝶番型の枢支部５および直角方向に備えたストッパー６０以外のものについては、前述の図４に示される第三の実施形態の袋内蔵型容器に準じたものとする。
【００２１】
ここで、容器１は、樹脂製または金属製で、有底または無底の容器としている。
また、磁性体片２は、永久磁石３と略同じ大きさの鉄片としたものを主としている。
また、磁性体帯２ａは、磁性体片２を帯状としたものを主としている。
また、永久磁石３は、収納袋７に収納物を収納した際に永久磁石３の挟着部で収納袋７がずれ落ちしない程度の磁力を持ち、且つ袋掛止板６の上端の袋掛止部４に指先を当てて袋掛止板６を容易に離着できる程度の磁力を持つものとしている。
【００２２】
また、袋掛止部４は、袋掛止板６の上端に袋を破らない程度に上向きの尖った形状の樹脂製または金属製のキャップを設けて、永久磁石３の磁力で挟着した袋７の折り返し部７ａがずれ落ちしないように上向きの突っ張り状に保持するようにしている。
また、枢支部５は、樹脂製または金属製の枢軸と軸受によるもの、または、蝶番型によるもので、容器１の内壁１ａと袋掛止板６を連結し、袋掛止板６を回動するものとしている。
【００２３】
また、袋掛止板６は、金属製または樹脂製の板状材で、前記容器１の内壁１ａとの取付け位置からその上部に設けた前記磁性体片２または磁性体帯２ａに至る長さに対応した長さの縦長細幅の薄板の板状材としている。
そして、下端部に枢支部５を備え上端部に永久磁石３を固着するものとしている。
そして、袋掛止板６を磁性体片２または磁性体帯２ａから２ｃｍ〜３ｃｍ開いた状態で袋掛止部４の上から袋７を被せ掛けた際に、袋７を被せ易いようにレの字形の引っ掛け具状を形成し、且つ、袋掛止板６が折れ曲ることなく上向きの突っ張り状に掛止できる強度を備えたものとしている。
そして、上向きの突っ張り状に掛止した状態で袋７を吸着挟持するものとしている。
【００２４】
また、袋７は、一般的にごみの収納用などに用いられている封筒型のもので、永久磁石３の磁力で挟着できる薄手のビニール袋やポリ袋などを主に用いるものとしている。
また、袋掛止板６の上端の袋掛止部４に袋７の折り返し部７ａを被せ掛けた際に、破れることなく、上向きの尖った形状の樹脂製または金属製のキャップで袋７の折り返し部７ａがずれ落ちしないように上向きの突っ張り状に保持することができる強度と柔軟性をもつものとしている。
【００２５】
また、ガイドレール８は、樹脂製または金属製のＣ型の型材から成り、容器１の内壁１ａにビス止めまたは固着したものとしている。そして、ガイドレール８上を袋掛止板６がスライド可能となるように、袋掛止板６の下方に備えた枢支部５の嵌合部５ａに対応した銜え部を備えたＣ型の型材のものとし、嵌合部５ａとの接触面にガタツキがなく、且つ袋掛止板６を開いた状態で手により容易にスライドできるものとしている。
【００２６】
また、第一および第三の実施形態の袋内蔵型容器のストッパー６０は、図２と図４および図６と図７に示されるように、枢支部５の下面に、袋掛止板６の長さ方向に突起６０ａを設け、その突起６０ａの長さ寸法、および、その突起６０ａと相対する枢支部５またはガイドレール８の側面の突起受止面６０ｂと突起６０ａとの間隔を、袋掛止板６が磁性体片２または磁性体帯２ａから２ｃｍ〜３ｃｍ開くと停止する寸法に設定したものとしている。
【００２７】
また、第二および第四の実施形態の袋内蔵型容器のストッパー６０は、図３と図５および図８と図９に示されるように、蝶番型の枢支部５の側面に袋掛止板６に対して直角方向に突起６０ａと６０ｂを設け、その突起６０ａと６０ｂの長さ寸法、および、突起６０ａとその突起６０ａと相対する突起受止面６０ｂとの先端部における間隔を、袋掛止板６が磁性体片２または磁性体帯２ａから２ｃｍ〜３ｃｍ開くと停止する寸法に設定したものとしている。
【００２８】
また、第五および第六の実施形態の袋内蔵型容器のストッパー６１は、図１０と図１１および図１２から図１３に示されるように、袋掛止板６と前記内壁１ａとを結ぶ紐６１ａ鎖６１ｂ又は屈曲フリーに繋がった棒状体の連結材６１ｃであり、その全体の長さを袋掛止板６が磁性体片２から２ｃｍ〜３ｃｍ開くと停止する長さに形成して、袋掛止板６が内壁１ａから２ｃｍ〜３ｃｍ開くと停止する位置に備えたものとしている。
【００２９】
また、第一から第六の実施形態の袋内蔵型容器のストッパー６０および６１は、図１４に示されるように、袋掛止板６の挟着部が２ｃｍ〜３ｃｍ開くとストッパー６０により袋掛止板６の回動が停止して、袋掛止板６の上部の袋掛止部４に袋７の上部折り返し部７ａを具合良く被せ掛けができるようにレの字形の引っ掛け具状に開くようにしている。
そして、袋７の上部折り返し部７ａを磁性体片２または磁性体帯２ａと永久磁石３の間に指で差し込むだけで、袋掛止板６の上部の袋掛止部４に被せ掛けた袋７の上部折り返し部７ａを具合良く保持できるようにしている。
そして、袋掛止板６の上部を磁性体側に指で少し押して回動するだけで、上部折り返し部７ａを磁性体片２または磁性体帯２ａと永久磁石３で挟持して袋を具合良く保持できるようにしている。
【００３０】
つぎに、図に基づいて本発明の袋内蔵型容器の第一と第三の形態の使い方について説明する。
図１および図２に示されるように、先ず、容器１内に袋７の上部折り返し部７ａを容器より上に食み出し、袋７の底を容器の底に接した状態で容器１内に開いて挿入する。
つぎに、図１４に示されるように、袋掛止板６の挟着部を２ｃｍ〜３ｃｍ開き、容器１より上に食み出した食み出し部を袋掛止板６の上部の袋掛止部４で折り返し、その上部折り返し部７ａを磁性体片２と永久磁石３の間に指で差し込む。
ここで、折り返し部７ａの長さは５ｃｍ〜１０ｃｍ位が良い。
そして、袋掛止板６の上部の袋掛止部４を指で少し押すだけで上部折り返し部７ａを磁性体片２と永久磁石３で自働的に簡単に挟着する。
そして、図１５の（ロ）に示されるように、容器のデザインを生かした見映えの良い袋内蔵装着を行う。
そして、これらの容器内の袋に溜まったゴミを袋ごと取り出して排出する。
【００３１】
つぎに、第二と第四の形態の使い方について説明する。
先ず、図１に示されるように、容器１内に袋７を広げ、袋の開口寸法に合わせて袋掛止板６の略配置位置を決める。
そして、図７に示されるように、袋掛止板６をガイドレール８に沿って袋の開口寸法に見合った位置に横移動する。
図１および図２に示されるように、容器１内に袋７の上部折り返し部７ａを容器より上に食み出し、袋７の底を容器の底に接した状態で容器１内に開いて挿入する。
そして、図１４に示されるように、袋掛止板６の挟着部を２ｃｍ〜３ｃｍ開き、容器１より上に食み出した食み出し部を袋掛止板６の上部の袋掛止部４で折り返し、その上部折り返し部７ａを磁性体片２と永久磁石３の間に指で差し込む。
そして、袋掛止板６の上部の袋掛止部４を指で少し押すだけで上部折り返し部７ａを磁性体片２と永久磁石３で自働的に簡単に挟着する。
そして、図１に示されるように、種々の開口寸法の袋を袋のもつ最大の開口寸法に開いた状態で簡単に装着し、且つ、簡単に分別収納ができるように装着する。
また、分別収納をしない場合は、袋掛止板６を容器１の端に横移動して袋８を容器いっぱいに開いた状態で装着する。
そして、これらの容器内の袋に溜まったゴミを袋ごと取り出して簡単に排出する。
これにより、図１６に示されるように袋押え材に袋口を潜らせ、容器の口縁部で押さえ込む面倒な装着をすることなく、図１に示されるように、分別収納を簡単に行う。
【産業上の利用可能性】
【００３２】
本発明の袋内蔵型容器は、家庭用のプラスチック製の小型のものから、工業用、業務用の樹脂製や金属製の大型のものまで利用することが可能である。
【図面の簡単な説明】
【００３３】
【図１】袋内蔵型容器の第三の実施形態を示す外観図である。
【図２】袋内蔵型容器の第一の実施形態の側面断面詳細図である。
【図３】袋内蔵型容器の第二の実施形態の側面断面詳細図である。
【図４】袋内蔵型容器の第三の実施形態の側面断面詳細図である。
【図５】袋内蔵型容器の第四の実施形態の側面断面詳細図である。
【図６】袋内蔵型容器の第一の実施形態の要部詳細図である。
【図７】袋内蔵型容器の第三の実施形態の要部詳細図である。
【図８】袋内蔵型容器の第二の実施形態の要部詳細図である。
【図９】袋内蔵型容器の第四の実施形態の要部詳細図である。
【図１０】袋内蔵型容器の第五の実施形態の側面断面詳細図である。
【図１１】袋内蔵型容器の第六の実施形態の側面断面詳細図である。
【図１２】袋内蔵型容器の第五の実施形態の要部詳細図である。
【図１３】袋内蔵型容器の第六の実施形態の要部詳細図である。
【図１４】袋内蔵型容器に指で袋を装着する状態の要部詳細図である。
【図１５】（イ）は従来の袋装着の状態を示し、（ロ）は本発明の袋内蔵型容器による袋装着の状態を示す側面図である。
【図１６】（イ）は従来の分別収納容器の袋装着の実施形態を示す外観図であり、（ロ）はその袋装着の実施形態を示す側面断面詳細図である。
【符号の説明】
【００３４】
１  容器
１ａ  容器の内壁
２  磁性体片
２ａ  磁性体帯
３  永久磁石
４  袋掛止部
５  枢支部
５ａ  嵌合部
６  袋掛止板  
６０  ストッパー
６０ａ  突起
６０ｂ  突起受止面
６１ａ  紐
６１ｂ  鎖
６１ｃ  屈曲フリーに繋がった棒状体
７  袋
７ａ  袋の折り返し部
８  ガイドレール
１０  指
Ｌ  磁性体と永久磁石の間の開き寸法
１００  従来型の分別収納容器
１０１  従来型の分別収納容器の袋押え材
１０２  従来型の分別収納容器の袋折り返し部
１０３  従来型の分別収納容器の袋
【図１】
2007314340.tif 000003
【図２】
2007314340.tif 000004
【図３】
2007314340.tif 000005
【図４】
2007314340.tif 000006
【図５】
2007314340.tif 000007
【図６】
2007314340.tif 000008
【図７】
2007314340.tif 000009
【図８】
2007314340.tif 000010
【図９】
2007314340.tif 000011
【図１０】
2007314340.tif 000012
【図１１】
2007314340.tif 000013
【図１２】
2007314340.tif 000014
【図１３】
2007314340.tif 000015
【図１４】
2007314340.tif 000016
【図１５】
2007314340.tif 000017
【図１６】
2007314340.tif 000018